(57)【特許請求の範囲】
【請求項１】
データソースを入手することと、デジタルヒューマンを前記データソースに従って抽出することとを行うように構成されるデータ処理プラットフォームであって、前記データソースは、実際のユーザのユーザデータであり、前記デジタルヒューマンは、デジタル世界環境で、物理世界での前記実際のユーザの特性を説明するように構成される、データ処理プラットフォームと、
データ提供者の端末により送信され、前記データ提供者の識別子と、アクセス許可設定パラメータとを搬送する、許可管理要求を受信することと、前記アクセス許可設定パラメータに従って、アクセス許可を、前記データ提供者の前記識別子に対応するデジタルヒューマンに備えられるユーザ特性情報に対して設定することとを行うように構成される許可管理プラットフォームと、
データ要求者の端末により送信され、クエリ条件と、前記クエリ条件を満たすことを必要とするデジタルヒューマンのユーザ特性識別子とを搬送する、クエリ要求を受信することと、デジタルヒューマンのものであり、前記クエリ条件および前記ユーザ特性識別子に対応する、ユーザ特性情報を決定することと、クエリ結果を、前記デジタルヒューマンの前記ユーザ特性情報のアクセス許可設定パラメータに従って取得することと、前記クエリ結果を前記データ要求者の前記端末に送信することとを行うように構成されるクエリ管理プラットフォームであって、前記クエリ条件は、前記データ要求者により入力される検索キーワードと、前記データ要求者に対応するデジタルヒューマンに備えられる少なくとも１つのユーザ特性情報とを備え、前記ユーザ特性識別子は、前記デジタルヒューマンに備えられるユーザ特性情報を分類することにより取得される特性カテゴリ識別子である、クエリ管理プラットフォームと、
前記クエリ結果に従って、前記データ要求者の前記端末により送信される購入要求を受信することと、取引を前記購入要求に従って完了することとを行うように構成される取引支払プラットフォームであって、前記購入要求は、前記クエリ結果に対応する前記デジタルヒューマンの前記ユーザ特性情報を購入することを指示するように構成される、取引支払プラットフォームと
を備えることを特徴とするデータ情報取引システム。
【請求項２】
前記クエリ管理プラットフォームは、
前記デジタルヒューマンの前記ユーザ特性情報の前記アクセス許可設定パラメータに従って、前記データ要求者の前記端末は前記デジタルヒューマンの前記ユーザ特性情報にアクセスすることができるかどうかを決定することと、
前記データ要求者の前記端末は前記デジタルヒューマンの前記ユーザ特性情報にアクセスすることができるならば、前記クエリ結果を前記データ要求者の前記端末に送信することと
を行うようにさらに構成され、
前記クエリ結果は、以下の結果：
前記デジタルヒューマンの前記ユーザ特性情報の量、および、前記デジタルヒューマンの前記ユーザ特性情報内の前記デジタルヒューマンのユーザ特性情報の部分
の少なくとも１つを備えることを特徴とする請求項１に記載の取引システム。
【請求項３】
前記クエリ管理プラットフォームは、
前記クエリ条件に対応する少なくとも２つのデジタルヒューマンを決定することと、
データマイニング分析を、前記少なくとも２つのデジタルヒューマンにおける、前記ユーザ特性識別子に対応するユーザ特性情報に関して実行して、共通ユーザ特性情報を取得することと、
前記クエリ結果を、前記共通ユーザ特性情報に備えられる複数のユーザ特性情報のアクセス許可設定パラメータに従って取得することと
を行うようにさらに構成されることを特徴とする請求項１または２に記載の取引システム。
【請求項４】
前記許可管理プラットフォームは、
前記データ提供者に関する識別の認証を、前記データ提供者の前記識別子に従って実行することと、前記認証が成功した後、前記アクセス許可設定パラメータに従って、アクセス許可を、前記データ提供者の前記識別子に対応するデジタルヒューマンに備えられるユーザ特性情報に対して設定するステップを実行することと
を行うようにさらに構成されることを特徴とする請求項１乃至３のいずれか一項に記載の取引システム。
【請求項５】
前記システムはメモリをさらに備え、
前記メモリは、前記データ処理プラットフォームにより取得される前記データソース、および、前記データソースに従って抽出される前記デジタルヒューマンを記憶することを特徴とする請求項１乃至３のいずれか一項に記載の取引システム。
【請求項６】
サーバにより、データ要求者の端末により送信されるクエリ要求を受信することであって、前記クエリ要求は、クエリ条件と、前記クエリ条件を満たすことを必要とするデジタルヒューマンのユーザ特性識別子とを備え、前記クエリ条件は、前記データ要求者により入力される検索キーワードと、前記データ要求者に対応するデジタルヒューマンに備えられる少なくとも１つのユーザ特性情報とを備え、前記デジタルヒューマンは、デジタル世界環境で、物理世界での実際のユーザの特性を説明するように構成され、前記ユーザ特性識別子は、前記デジタルヒューマンに備えられるユーザ特性情報を分類することにより取得される特性カテゴリ識別子である、受信することと、
前記サーバにより、デジタルヒューマンのものであり、前記クエリ条件および前記ユーザ特性識別子に対応する、ユーザ特性情報を決定し、クエリ結果を、前記デジタルヒューマンの前記ユーザ特性情報のアクセス許可設定パラメータに従って取得し、前記クエリ結果を前記データ要求者の前記端末に送信することと、
前記サーバにより、前記クエリ結果に従って、前記データ要求者の前記端末により送信される購入要求を受信し、取引を前記購入要求に従って完了することと
を備え、前記購入要求は、前記クエリ結果に対応する前記デジタルヒューマンの前記ユーザ特性情報を購入することを指示するように構成されることを特徴とするデータ情報取引方法。
【請求項７】
前記サーバにより、前記クエリ結果を前記データ要求者の前記端末に送信することは、
前記サーバにより、前記デジタルヒューマンの前記ユーザ特性情報の前記アクセス許可設定パラメータに従って、前記データ要求者の前記端末は前記デジタルヒューマンの前記ユーザ特性情報にアクセスすることができるかどうかを決定することと、
前記データ要求者の前記端末は前記デジタルヒューマンの前記ユーザ特性情報にアクセスすることができるならば、前記サーバにより、前記クエリ結果を前記データ要求者の前記端末に送信することと
を備え、
前記クエリ結果は、以下の結果：
前記デジタルヒューマンの前記ユーザ特性情報の量、および、前記デジタルヒューマンの前記ユーザ特性情報内の前記デジタルヒューマンのユーザ特性情報の部分
の少なくとも１つを備えることを特徴とする請求項６に記載の方法。
【請求項８】
前記サーバにより、デジタルヒューマンのものであり、前記クエリ条件および前記ユーザ特性識別子に対応する、ユーザ特性情報を決定し、クエリ結果を、前記デジタルヒューマンの前記ユーザ特性情報のアクセス許可設定パラメータに従って取得することは、
前記クエリ条件に対応する少なくとも２つのデジタルヒューマンを決定することと、
データマイニング分析を、前記少なくとも２つのデジタルヒューマンにおける、前記ユーザ特性識別子に対応するユーザ特性情報に関して実行して、共通ユーザ特性情報を取得することと、
前記クエリ結果を、前記共通ユーザ特性情報に備えられる複数のユーザ特性情報のアクセス許可設定パラメータに従って取得することと
を備えることを特徴とする請求項６または７に記載の方法。
【請求項９】
サーバにより、データ提供者の端末により送信される許可管理要求を受信することであって、前記許可管理要求は、前記データ提供者の識別子と、アクセス許可設定パラメータとを備える、受信することと、
前記サーバにより、前記アクセス許可設定パラメータに従って、アクセス許可を、前記データ提供者の前記識別子に対応するデジタルヒューマンに備えられるユーザ特性情報に対して設定することであって、前記デジタルヒューマンは、デジタル世界環境で、物理世界での実際のユーザの特性を説明するように構成され、それによって、データ要求者の端末により送信され、クエリ条件と、前記クエリ条件を満たすことを必要とするデジタルヒューマンのユーザ特性識別子とを搬送する、クエリ要求を受信することと、デジタルヒューマンのものであり、前記クエリ条件および前記ユーザ特性識別子に対応する、ユーザ特性情報を決定することとを行うとき、前記サーバは、クエリ結果を、前記デジタルヒューマンの前記ユーザ特性情報のアクセス許可設定パラメータに従って取得し、前記クエリ結果を前記データ要求者の前記端末に送信する、設定することと
を備え、前記クエリ条件は、前記データ要求者により入力される検索キーワードと、前記データ要求者に対応するデジタルヒューマンに備えられる少なくとも１つのユーザ特性情報とを備えることを特徴とするデータ情報取引方法。
【請求項１０】
前記サーバにより、前記アクセス許可設定パラメータに従って、アクセス許可を、前記データ提供者の前記識別子に対応するデジタルヒューマンに備えられるユーザ特性情報に対して設定する前に、前記方法は、
前記サーバにより、前記データ提供者に関する識別の認証を、前記データ提供者の前記識別子に従って実行することと、前記認証が成功した後、前記アクセス許可設定パラメータに従って、アクセス許可を、前記データ提供者の前記識別子に対応するデジタルヒューマンに備えられるユーザ特性情報に対して設定することを実行することと
をさらに備えることを特徴とする請求項９に記載の方法。
【請求項１１】
サーバにより、前記データ提供者の前記端末により送信される前記許可管理要求を受信する前に、前記方法は、
前記サーバにより、データソースを入手することと、デジタルヒューマンを前記データソースに従って抽出することとをさらに備え、前記データソースは、前記実際のユーザのユーザデータであることを特徴とする請求項９または１０に記載の方法。
【発明の詳細な説明】
【技術分野】
【０００１】
本発明の実施形態は、インターネットビッグデータアプリケーション技術の分野に関し、特に、データ情報取引方法およびシステムに関係する。
【背景技術】
【０００２】
移動端末および移動インターネットの継続的な開発によって、現在、様々なネットワークアプリケーションサービスが、人々の生活習慣にますます影響を与える。人々は、ユーザ端末を使用して、オンラインショッピング、ソーシャルネットワークの確立、および、マイクロブログに投稿することなどの、ネットワークアプリケーションに関係するアクティビティを実行する。したがって大量のエンドユーザデータが、ネットワーク上で分散させられ、その場合ユーザデータは、大量のネットワーク情報と混ぜ合わされる。
【０００３】
ユーザデータは、対応するユーザの、行動習慣などの特性情報を含むので、ユーザが、ネットワークを使用することにより、取得することをユーザが求める他のユーザデータをサーチすることを、ユーザデータをユーザの行動の参考として使用するために行うとき、目標ユーザデータのサーチは、そのような大量のネットワーク情報内で実行される。目標情報をサーチするための既存の方式は、キーワードが、サーチエンジンを使用することにより入力され、サーチエンジンは、ウェブクローラソフトウェアを使用することにより、および、ユーザにより入力されるキーワードに従って、入力キーワードとマッチングする情報を大量のネットワーク情報から検索し、検索される情報を表示する。
【０００４】
一般的には、そのような大量の検索により検索される情報の量はかなり大きく、その場合、表示される検索結果は、数十のウェブページを含むことがあり、またはさらには、ことによると、検索される情報は、サーチすることをユーザが所望する目標ユーザデータを含まず、そのことは、ユーザの時間を浪費し、相対的に低い検索効率を有するものであり、さらに、ユーザデータは、一部のプロプライエタリポータルまたはウェブサイトにより所有されることがあるので、ユーザデータは、共通ユーザの検索空間では欠落しており、そのことは、不正確な最終的検索結果を引き起こす。
【発明の概要】
【０００５】
本発明の実施形態は、情報クエリア（querier）が、取引により、取得することをクエリアが要求するユーザ特性情報を入手することができるものであり、そのことにより、ユーザ特性情報のクエリ結果の正確性、およびクエリ効率を改善することを実現するための、データ情報取引方法およびシステムを提供する。
【０００６】
本発明の実施形態の第１の態様は、
データソースを入手することと、デジタルヒューマンをデータソースに従って抽出することとを行うように構成されるデータ処理プラットフォームであって、データソースは、実際のユーザのユーザデータであり、デジタルヒューマンは、デジタル世界環境で、物理世界での実際のユーザの特性を説明するように構成される、データ処理プラットフォームと、
データ提供者の端末により送信され、データ提供者の識別子と、アクセス許可設定パラメータとを搬送する、許可管理要求を受信することと、アクセス許可設定パラメータに従って、アクセス許可を、データ提供者の識別子に対応するデジタルヒューマンに含まれるユーザ特性情報に対して設定することとを行うように構成される許可管理プラットフォームと、
データ要求者の端末により送信され、クエリ条件と、クエリ条件を満たすことを必要とするデジタルヒューマンのユーザ特性識別子とを搬送する、クエリ要求を受信することと、デジタルヒューマンのものであり、クエリ条件およびユーザ特性識別子に対応する、ユーザ特性情報を決定することと、クエリ結果を、デジタルヒューマンのユーザ特性情報のアクセス許可設定パラメータに従って取得することと、クエリ結果をデータ要求者の端末に送信することとを行うように構成されるクエリ管理プラットフォームであって、ユーザ特性識別子は、デジタルヒューマンに含まれるユーザ特性情報を分類することにより取得される特性カテゴリ識別子である、クエリ管理プラットフォームと、
クエリ結果に従って、データ要求者の端末により送信される購入要求を受信することと、取引を購入要求に従って完了するように構成される取引支払プラットフォームであって、購入要求は、クエリ結果に対応するデジタルヒューマンのユーザ特性情報を購入することを指示するように構成される、取引支払プラットフォームと
を含むデータ情報取引システムを提供する。
【０００７】
第１の態様の第１の可能な実装方式では、クエリ管理プラットフォームは、
デジタルヒューマンのユーザ特性情報のアクセス許可設定パラメータに従って、データ要求者の端末はデジタルヒューマンのユーザ特性情報にアクセスすることができるかどうかを決定することと、
データ要求者の端末はデジタルヒューマンのユーザ特性情報にアクセスすることができるならば、クエリ結果をデータ要求者の端末に送信することと
を行うようにさらに構成され、
クエリ結果は、以下の結果：
デジタルヒューマンのユーザ特性情報の量、および、デジタルヒューマンのユーザ特性情報内のデジタルヒューマンのユーザ特性情報の部分
の少なくとも１つを含む。
【０００８】
第１の態様、または、第１の態様の第１の可能な実装方式によれば、第１の態様の第２の可能な実装方式では、クエリ管理プラットフォームは、
クエリ条件に対応する少なくとも２つのデジタルヒューマンを決定することと、
データマイニング分析を、少なくとも２つのデジタルヒューマンにおける、ユーザ特性識別子に対応するユーザ特性情報に関して実行して、共通ユーザ特性情報を取得することと、
クエリ結果を、共通ユーザ特性情報に含まれる複数のユーザ特性情報のアクセス許可設定パラメータに従って取得することと
を行うようにさらに構成される。
【０００９】
第１の態様の第２の可能な実装方式によれば、第１の態様の第３の可能な実装方式では、クエリ管理プラットフォームは、
クエリ条件に対応する少なくとも２つのデジタルヒューマンを決定することであって、クエリ条件は、データ要求者により入力される検索キーワードを含み、クエリ条件は、検索キーワードと、データ要求者の端末のコンテキスト環境情報とを含み、または、クエリ条件は、検索キーワードと、データ要求者に対応するデジタルヒューマンに含まれる少なくとも１つのユーザ特性情報とを含む、その決定することと、
データマイニング分析を、少なくとも２つのデジタルヒューマンにおける、ユーザ特性識別子に対応するユーザ特性情報に関して実行して、共通ユーザ特性情報を取得することと、
クエリ結果を、共通ユーザ特性情報に含まれる複数のユーザ特性情報のアクセス許可設定パラメータに従って取得することと
を行うようにさらに構成される。
【００１０】
第１の態様、または、第１の態様の第１の可能な実装方式、第２の可能な実装方式、もしくは第３の可能な実装方式によれば、第１の態様の第４の可能な実装方式では、許可管理プラットフォームは、
データ提供者に関する識別認証を、データ提供者の識別子に従って実行することと、認証が成功した後、アクセス許可設定パラメータに従って、アクセス許可を、データ提供者の識別子に対応するデジタルヒューマンに含まれるユーザ特性情報に対して設定するステップを実行することと
を行うようにさらに構成される。
【００１１】
第１の態様、または、第１の態様の第１の可能な実装方式、第２の可能な実装方式、もしくは第３の可能な実装方式によれば、第１の態様の第５の可能な実装方式では、システムはメモリをさらに含み、
メモリは、データ処理プラットフォームにより取得されるデータソース、および、データソースに従って抽出されるデジタルヒューマンを記憶する。
【００１２】
本発明の実施形態の第２の態様は、
サーバにより、データ要求者の端末により送信されるクエリ要求を受信することであって、クエリ要求は、クエリ条件と、クエリ条件を満たすことを必要とするデジタルヒューマンのユーザ特性識別子とを含み、デジタルヒューマンは、デジタル世界環境で、物理世界での実際のユーザの特性を説明するために使用され、ユーザ特性識別子は、デジタルヒューマンに含まれるユーザ特性情報を分類することにより取得される特性カテゴリ識別子である、受信することと、
サーバにより、デジタルヒューマンのものであり、クエリ条件およびユーザ特性識別子に対応する、ユーザ特性情報を決定し、クエリ結果を、デジタルヒューマンのユーザ特性情報のアクセス許可設定パラメータに従って取得し、クエリ結果をデータ要求者の端末に送信することと、
サーバにより、クエリ結果に従って、データ要求者の端末により送信される購入要求を受信し、取引を購入要求に従って完了することとを含み、購入要求は、クエリ結果に対応するデジタルヒューマンのユーザ特性情報を購入することを指示するために使用される、データ情報取引方法を提供する。
【００１３】
第２の態様の第１の可能な実装方式では、サーバにより、クエリ結果をデータ要求者の端末に送信することは、
サーバにより、デジタルヒューマンのユーザ特性情報のアクセス許可設定パラメータに従って、データ要求者の端末はデジタルヒューマンのユーザ特性情報にアクセスすることができるかどうかを決定することと、
データ要求者の端末はデジタルヒューマンのユーザ特性情報にアクセスすることができるならば、サーバにより、クエリ結果をデータ要求者の端末に送信することと
を含み、
クエリ結果は、以下の結果：
デジタルヒューマンのユーザ特性情報の量、および、デジタルヒューマンのユーザ特性情報内のデジタルヒューマンのユーザ特性情報の部分
の少なくとも１つを含む。
【００１４】
第２の態様、または、第２の態様の第１の可能な実装方式によれば、第２の態様の第２の可能な実装方式では、サーバにより、デジタルヒューマンのものであり、クエリ条件およびユーザ特性識別子に対応する、ユーザ特性情報を決定し、クエリ結果を、デジタルヒューマンのユーザ特性情報のアクセス許可設定パラメータに従って取得することは、
クエリ条件に対応する少なくとも２つのデジタルヒューマンを決定することと、
データマイニング分析を、少なくとも２つのデジタルヒューマンにおける、ユーザ特性識別子に対応するユーザ特性情報に関して実行して、共通ユーザ特性情報を取得することと、
クエリ結果を、共通ユーザ特性情報に含まれる複数のユーザ特性情報のアクセス許可設定パラメータに従って取得することと
を含む。
【００１５】
第２の態様、または、第２の態様の第１の可能な実装方式、もしくは第２の可能な実装方式によれば、第２の態様の第３の可能な実装方式では、クエリ条件は、データ要求者により入力される検索キーワードを含み、
クエリ条件は、検索キーワードと、データ要求者の端末のコンテキスト環境情報とを含み、または、
クエリ条件は、検索キーワードと、データ要求者に対応するデジタルヒューマンに含まれる少なくとも１つのユーザ特性情報とを含む。
【００１６】
本発明の実施形態の第３の態様は、
サーバにより、データ提供者の端末により送信される許可管理要求を受信することであって、許可管理要求は、データ提供者の識別子と、アクセス許可設定パラメータとを含む、受信することと、
サーバにより、アクセス許可設定パラメータに従って、アクセス許可を、データ提供者の識別子に対応するデジタルヒューマンに含まれるユーザ特性情報に対して設定することであって、デジタルヒューマンは、デジタル世界環境で、物理世界での実際のユーザの特性を説明するために使用され、それによって、データ要求者の端末により送信され、クエリ条件と、クエリ条件を満たすことを必要とするデジタルヒューマンのユーザ特性識別子とを搬送する、クエリ要求を受信することと、デジタルヒューマンのものであり、クエリ条件およびユーザ特性識別子に対応する、ユーザ特性情報を決定することとを行うとき、サーバは、クエリ結果を、デジタルヒューマンのユーザ特性情報のアクセス許可設定パラメータに従って取得し、クエリ結果をデータ要求者の端末に送信する、設定することと
を含むデータ情報取引方法を提供する。
【００１７】
第３の態様の第１の可能な実装方式では、サーバにより、アクセス許可設定パラメータに従って、アクセス許可を、データ提供者の識別子に対応するデジタルヒューマンに含まれるユーザ特性情報に対して設定する前に、方法は、
サーバにより、データ提供者に関する識別認証を、データ提供者の識別子に従って実行することと、認証が成功した後、アクセス許可設定パラメータに従って、アクセス許可を、データ提供者の識別子に対応するデジタルヒューマンに含まれるユーザ特性情報に対して設定するステップを実行することと
をさらに含む。
【００１８】
第３の態様、または、第３の態様の第１の可能な実装方式によれば、第３の態様の第２の可能な実装方式では、サーバにより、データ提供者の端末により送信されるクエリ要求を受信する前に、方法は、
サーバにより、データソースを入手することと、デジタルヒューマンをデータソースに従って抽出することとをさらに含み、データソースは、実際のユーザのユーザデータである。
【００１９】
本発明の実施形態で提供されるデータ情報取引方法およびシステムによれば、実際のユーザの特性を説明するデジタルヒューマンが、物理世界での実際のユーザのユーザデータに従って抽出され、その場合デジタルヒューマンは、対応する実際のユーザの特性を表すユーザ特性情報を含み、含まれるユーザ特性情報は、ユーザ特性情報の各々のカテゴリのユーザ特性識別子を取得するために分類される。したがって、クエリアが、クエリ要求を、クエリアのデータ要求者の端末を使用することにより送信するとき、普遍的なクエリ条件に加えて、クエリ要求は、クエリ条件を満たすことを必要とするデジタルヒューマンのユーザ特性識別子をさらに含む。サーバは、クエリにより、クエリ条件およびユーザ特性識別子に従って、デジタルヒューマンの対応するユーザ特性情報を決定し、クエリにより決定されるデジタルヒューマンのユーザ特性情報のアクセス許可設定パラメータに従って、クエリ条件およびユーザ特性識別子に収束するクエリ結果をさらに取得し、クエリ結果を、クエリアに対応するデータ要求者の端末に送信する。さらに、クエリアが、クエリ結果に対応するデジタルヒューマンのユーザ特性情報を購入することを必要とするならば、クエリアは、購入要求を送信することを必要とし、取引を購入要求に従って完了する。クエリ条件、および、ユーザ特性カテゴリを表すユーザ特性識別子を、クエリ収束の因子として使用することにより、ユーザ特性情報の検索結果はより正確であり、ユーザにプッシュされることになるクエリ結果は、デジタルヒューマンの検索されるユーザ特性情報のアクセス許可設定パラメータに従って決定され、そのことは、クエリ結果の有効性を確実にする。デジタルヒューマンは、実際のユーザのユーザデータからあらかじめ抽出されるので、クエリされることになる情報のセットは、より有効な利用可能な情報を含み、そのことは、クエリ結果の正確性を確実にするのみでなく、クエリおよびサーチ効率を改善することに対して有益でもある。さらに、クエリにより取得されるデジタルヒューマンのユーザ特性情報は、デジタルヒューマンに対応する実際のユーザの特性を指示するので、購入取引方式は、実際のユーザの正当な権利および情報セキュリティを確実にすることに対して有益である。
【図面の簡単な説明】
【００２０】
【図１】本発明の実施形態１による、データ情報取引方法のフローチャートである。
【図２】本発明の実施形態２による、データ情報取引方法のフローチャートである。
【図３】本発明の実施形態３による、データ情報取引システムの概略構造図である。
【図４】本発明の実施形態４による、データ情報取引システムの概略構造図である。
【発明を実施するための形態】
【００２１】
本発明の実施形態の目的、技術的解決策、および利点をより明確にするために、以下では、本発明の実施形態での技術的解決策を、本発明の実施形態での付随する図面を参照して、明確に説明する。明らかに、説明される実施形態は、本発明の実施形態のすべてではなく部分である。当業者により、本発明の実施形態に基づいて、創造的努力なしに取得されるすべての他の実施形態は、本発明の保護範囲の内部に在るものとする。
【００２２】
図１は、本発明の実施形態１による、データ情報取引方法のフローチャートである。この実施形態で提供される方法は、取引システムにより実現される。具体的には、この実施形態では、方法の具体的な実装方式が、取引システムに実行体として含まれるサーバを使用することにより説明される。図１で示されるように、方法は以下のことを含む。
【００２３】
１０１．サーバは、データ要求者の端末により送信されるクエリ要求を受信することであって、クエリ要求は、クエリ条件と、クエリ条件を満たすことを必要とするデジタルヒューマンのユーザ特性識別子とを含み、デジタルヒューマンは、デジタル世界環境で、物理世界での実際のユーザの特性を説明するために使用され、ユーザ特性識別子は、デジタルヒューマンに含まれるユーザ特性情報を分類することにより取得される特性カテゴリ識別子である、その受信することを行う。
【００２４】
１０２．サーバは、デジタルヒューマンのものであり、クエリ条件およびユーザ特性識別子に対応する、ユーザ特性情報を決定することと、クエリ結果を、デジタルヒューマンのユーザ特性情報のアクセス許可設定パラメータに従って取得することと、クエリ結果をデータ要求者の端末に送信することとを行う。
【００２５】
１０３．サーバは、クエリ結果に従って、データ要求者の端末により送信される購入要求を受信することと、取引を購入要求に従って完了することを行い、ここで、購入要求は、クエリ結果に対応するデジタルヒューマンのユーザ特性情報を購入することを指示するために使用される。
【００２６】
この実施形態でのサーバは、ユーザ特性情報を検索することの機能を提供するサービスプラットフォームである。サービスプラットフォームは、ユーザによりアプリケーションソフトウェアを使用することの記録、ユーザにより製品を購入することの記録、および、ユーザのソーシャルアクティビティの記録などの、ユーザトレール（user trail）に関係付けられる多数のデータを所有し、ユーザの行動習慣、ユーザのショッピング嗜好、および、ユーザのソーシャルサークルの状況などの、ユーザ特性および関係付けられるナレッジを指示する情報（略して、ユーザ特性情報）を抽出するために、ユーザトレールに関係付けられるデータをマイニングする。ユーザ特性情報は、現実の物理世界でのユーザトレールに関係付けられるデータが、デジタル世界で、マイニングデータの方式でマッピングされる特性であるので、この実施形態では、デジタル世界で仮想化される「デジタルヒューマン」は、物理世界での実際のユーザの特性を表すために使用され、すなわちデジタルヒューマンは、対応する実際のエンドユーザの特性を表す複数のユーザ特性情報を含む。この実施形態では、データマイニングを、ユーザトレールに関係付けられるデータに関して実行することは、以下の、分類アルゴリズム、クラスタリングアルゴリズム、回帰アルゴリズム、強化学習アルゴリズム、転移学習アルゴリズム、深層学習（depth learning）アルゴリズム、および能動学習アルゴリズムなどの、データマイニングアルゴリズムを使用し得る。
【００２７】
加えて、実際のユーザのユーザデータは、ユーザのすべての態様でのデータ情報を含むので、この実施形態では分類は、デジタル世界で定義されるデジタルヒューマンに含まれる複数のユーザ特性情報に関して実行され、分類基準は例えば、ユーザ特性情報に対応する、ショッピング、食品消費、身体的健康、または通信サービスなどのアプリケーションタイプである。分類は、特性の各々のカテゴリを表すユーザ特性識別子を取得するために、複数のユーザ特性情報に関して実行される。本発明の実施形態ではユーザデータは、ユーザのトレールデータを含み得るものであり、または、ユーザが端末を使用するプロセスで生成されるデータであり得る。一般的には、同じ実際のユーザに対して、ユーザ特性識別子のもとに、実際のユーザに対応するデジタルヒューマンに、複数個のユーザ特性情報が、大部分の事例では含まれ、例えば、ユーザ特性識別子が食品消費であるとき、識別子のもとに、異なる都市での、異なる時間での、または、異なる料理店での消費に関する情報が、おそらくは含まれ得る。この実施形態では好ましくは、実際のユーザが引き続いて、アクセス管理を、実際のユーザに対応するデジタルヒューマンに含まれる複数のユーザ特性情報に関して実行することができるように、各々の実際のユーザのユーザ特性情報は、サーバのストレージデータベースに、デジタルヒューマンの単位で記憶される。
【００２８】
データ要求者が、クエリにより、サーバに記憶され、データ要求者の要件を満たす、あるユーザ特性情報を取得することを必要とするとき、データ要求者は、クエリ要求をサーバに、データ要求者の端末デバイス、すなわち、データ要求者の端末を使用することにより送信する。具体的には、この実施形態でのサーバは、情報クエリアに、クエリインターフェイスまたはユーザインターフェイス、例えばアプリケーションプログラミングインターフェイス（Application Programming Interface、本明細書では以降ＡＰＩと呼称される）を提供し、したがってデータ要求者は、クエリ要求をサーバに、ＡＰＩを使用することにより送信し得るものであり、その場合クエリ要求は、クエリ条件と、クエリ条件を満たすことを必要とするデジタルヒューマンのユーザ特性識別子とを含む。クエリ条件は例えば、データ要求者により入力される検索キーワードを含み、または、検索キーワードと、データ要求者の端末のコンテキスト環境情報とを含む。データ要求者の端末のコンテキスト環境情報は例えば、時間および位置に関する情報、すなわち、いつデータ要求者がどこの場所に到着するかである。コンテキスト環境情報は、よりパーソナライズされた検索結果をクエリアに提供するために使用され得る。コンテキスト環境情報を入手することは、複数の方式で実現され得るものであり、例えば、データ要求者の端末は能動的に、データ要求者の端末が位置する地理的位置に関する情報を報告し、または、サーバは間接的に、コンテキスト環境情報を、データ要求者の端末のＩＰアドレス、もしくはクッキーなどの情報を分析することにより入手するが、そのことは、本発明では特別に制限されない。
【００２９】
例えば、データ要求者が、クエリにより、特定のユーザが普段訪れる料理店を取得することを所望するならば、クエリ条件でデータ要求者により入力される検索キーワードは特定のユーザの名前であり、ユーザ特性識別子は食品消費であり、それによってサーバは、対応するデジタルヒューマン、すなわち、特定のユーザに対応するデジタルヒューマンを、クエリ条件、すなわち検索キーワードに従って決定し、そのことにより、ユーザ特性識別子に従って、および、デジタルヒューマンに含まれる複数のユーザ特性情報から、ユーザ特性情報、すなわち、ユーザ特性識別子に対応するデジタルヒューマンの少なくとも１つのユーザ特性情報を決定する。別の例としては、データ要求者がシンセンにビジネスで行くとき、データ要求者は、特定のユーザが、その場所にビジネスで行くときに普段訪れる料理店を入手することを求め、次いで、クエリ条件でデータ要求者により入力される検索キーワードは特定のユーザの名前であり、データ要求者の端末のコンテキスト環境情報がクエリ条件で入力され、例えば、データ要求者の端末が現在位置する都市の位置はシンセンであり、入力ユーザ特性識別子は食品消費であり、それによってサーバは、対応するデジタルヒューマン、すなわち、特定のユーザに対応するデジタルヒューマンを、クエリ条件、すなわち検索キーワードに従って決定し、そのことにより、ユーザ特性識別子に従って、および、デジタルヒューマンに含まれる複数のユーザ特性情報から、ユーザ特性識別子に対応する少なくとも１つのユーザ特性情報を決定する。別の例としては、データ要求者がシンセンにビジネスで行くとき、データ要求者は、データ要求者と同じ所得および地位を有する人物の食品消費習慣を入手することを求め、データ要求者により入力される検索キーワードは例えば、１人当たり３００〜５００元であり、データ要求者の端末のコンテキスト環境情報が入力され、例えば、データ要求者の端末が現在位置する都市の位置はシンセンであり、消費時間は１７：００〜２１：００であり、データ要求者により入力されるユーザ特性識別子は食品消費であり、それによってサーバは、少なくとも１つの対応するデジタルヒューマンを、クエリ条件での検索キーワードとコンテキスト環境情報とに従って決定し、各々の決定されるデジタルヒューマンに含まれる複数のユーザ特性情報から、ユーザ特性識別子に対応する複数のユーザ特性情報をさらに決定する。
【００３０】
さらに、デジタルヒューマンの対応するユーザ特性情報を、クエリにより、データ要求者の端末により送信されるクエリ要求に含まれるクエリ条件およびユーザ特性識別子に従って取得した後、サーバは、クエリ結果を、デジタルヒューマンのユーザ特性情報のアクセス許可設定パラメータに従って取得し、クエリ結果をデータ要求者の端末にさらに送信することを必要とする。この実施形態ではアクセス許可設定パラメータは、好ましくは、各々の実際のユーザに対応するデジタルヒューマンに含まれる、およびサーバに記憶される、複数のユーザ特性情報に対して構成され、パラメータは、サーバにより、複数のユーザ特性情報の異なるカテゴリに従って、あらかじめ設定され得るものであり、または、能動的に、各々のデジタルヒューマンに対応する実際のユーザにより設定され得る。例えば、ユーザ特性情報のアクセス許可設定パラメータは、アクセスされることをユーザ特性情報が可能とされるかどうか、アクセスすることを可能とされるユーザ識別子、ユーザ特性情報にアクセスするために支払われることを必要とする価格、および同様のものを含む。この実施形態では、サーバが、サーチにより、デジタルヒューマンのものであり、クエリ条件およびユーザ特性識別子に対応する、ユーザ特性情報を取得した後、デジタルヒューマンのユーザ特性情報は、おそらくは、複数個のユーザ特性情報を含み得るものであり、各ユーザ特性情報のアクセス許可設定パラメータは異なるので、サーバにより、デジタルヒューマンのアクセス許可設定パラメータに従って取得される、および、データ要求者にプッシュされるクエリ結果に対応する、デジタルヒューマンのユーザ特性情報は、おそらくは、クエリ条件およびユーザ特性識別子に従って決定されるデジタルヒューマンのユーザ特性情報とは異なることがあり、すなわち、サーバにより、デジタルヒューマンのアクセス許可設定パラメータに従って取得される、および、データ要求者にプッシュされるクエリ結果に対応する、デジタルヒューマンのユーザ特性情報の量は、おそらくは、クエリ条件およびユーザ特性識別子に従って決定されるデジタルヒューマンのユーザ特性情報の量より少ないことがあるということが理解され得る。この実施形態では、クエリ条件およびユーザ特性識別子に従って決定されるデジタルヒューマンの複数のユーザ特性情報のアクセス許可設定パラメータがすべて、クエリ結果がデータ要求者の端末にプッシュされることができるということを表すとき、クエリ結果は例えば、クエリにより取得されるデジタルヒューマンのある個数のユーザ特性情報、もしくは、クエリにより取得されるデジタルヒューマンのユーザ特性情報の部分であり、または、クエリ結果は例えば、クエリ条件およびユーザ特性識別子に従って決定されるデジタルヒューマンのユーザ特性情報のアクセス許可設定パラメータにより表される、データ要求者の端末に送信されることができるデジタルヒューマンのユーザ特性情報の部分の量、もしくは、ユーザ特性情報の部分であるということが留意されるべきである。加えて好ましくは、デジタルヒューマンのユーザ特性情報のその部分は、大衆の中で任意のユーザに対して可視であり得るユーザ特性情報である。この実施形態では、任意選択で、間接的な方式でデータ要求者の端末に、クエリにより取得されるデジタルヒューマンのユーザ特性情報を送信する理由は、デジタルヒューマンのユーザ特性情報が、デジタルヒューマンに対応する実際のエンドユーザの、個人プライバシーに属する行動習慣などの特性を反映するということである。しかしながら別のユーザに対しては、情報は、相当量の参考価値を有する情報でもある。したがって、実際のエンドユーザの利益を、および、クエリアが、価値の高い情報を取得することができるということを確実にするために、この実施形態では、クエリアの役割を果たすデータ要求者が、サーバにより見出されるデジタルヒューマンのユーザ特性情報は使用されることを必要とすると決定するとき、クエリ結果に対応するデジタルヒューマンのユーザ特性情報を購入することを指示する購入要求が、サーバに、クエリ結果に従って送信され、それによってサーバは、購入要求に従って、デジタルヒューマンに対応する実際のユーザと、クエリアの役割を果たすデータ要求者との間の、デジタルヒューマンのユーザ特性情報の取引を完了する。
【００３１】
具体的にはサーバは、電子支払機能を提供することを必要とする。データ要求者が、デジタルヒューマンの関係付けられるユーザ特性情報を購入することを選択および決定するとき、サーバは、取引支払機能を提供し、電子支払の額をデータ要求者から、ＡＰＩを使用することにより入手し、それに対応して、別のＡＰＩをサーバと実際のユーザとの間で使用することにより、デジタルヒューマンに対応する実際のユーザへの、特定の額の電子支払を実現する。
【００３２】
この実施形態では、実際のユーザの特性を説明するデジタルヒューマンが、物理世界での実際のエンドユーザのユーザデータに従って抽出され、デジタルヒューマンは、対応する実際のユーザの特性を表す複数のユーザ特性情報を含み、分類が、ユーザ特性情報の各々のカテゴリのユーザ特性識別子を取得するために、含まれる複数のユーザ特性情報に関して実行される。したがって、クエリアが、クエリ要求を、クエリアのデータ要求者の端末を使用することにより送信するとき、普遍的なクエリ条件に加えて、クエリ要求は、クエリ条件を満たすことを必要とするデジタルヒューマンのユーザ特性識別子をさらに含む。サーバは、クエリにより、クエリ条件およびユーザ特性識別子に従って、デジタルヒューマンの対応するユーザ特性情報を決定し、クエリにより決定されるデジタルヒューマンのユーザ特性情報のアクセス許可設定パラメータに従って、クエリ条件およびユーザ特性識別子に収束するクエリ結果をさらに取得し、クエリ結果を、クエリアに対応するデータ要求者の端末に送信する。さらに、クエリアが、クエリ結果に対応するデジタルヒューマンのユーザ特性情報を購入することを必要とするならば、クエリアは、購入要求を送信することを必要とし、取引を購入要求に従って完了する。クエリ条件、および、ユーザ特性カテゴリを表すユーザ特性識別子を、クエリ収束の因子として使用することにより、ユーザ特性情報の検索結果はより正確であり、ユーザにプッシュされることになるクエリ結果は、デジタルヒューマンの検索されるユーザ特性情報のアクセス許可設定パラメータに従って決定され、そのことは、クエリ結果の有効性を確実にするものであり、デジタルヒューマンは、実際のユーザのユーザデータからあらかじめ抽出されるので、クエリされることになる情報のセットは、より有効な利用可能な情報を含み、そのことは、クエリ結果の正確性を確実にするのみでなく、クエリおよびサーチ効率を改善することに対して有益でもある。さらに、クエリにより取得されるデジタルヒューマンのユーザ特性情報は、デジタルヒューマンに対応する実際のユーザの特性を指示するので、購入取引方式は、実際のエンドユーザの正当な権利および情報セキュリティを確実にすることに対して有益である。
【００３３】
図２は、本発明の実施形態２による、データ情報取引方法のフローチャートである。図２で示されるように、方法は以下のことを含む。
【００３４】
２０１．サーバは、データソースを入手することと、デジタルヒューマンをデータソースに従って抽出することを行い、ここで、データソースは、実際のユーザのユーザデータである。
【００３５】
移動端末および移動インターネットのさらなる流行によって、エンドユーザのデータは爆発的に増大し、大量のデータが、個人デジタル生活の各々の曲がり角で分散および散乱させられる。例えば人々は、ソーシャルネットワークを使用することにより、友人になり、友人サークルを確立し、パーソナルな意見をソーシャルイベントに関して、マイクロブログに投稿することにより投稿して、Ｍｅメディア（Me media）を生成し、個人の大衆イメージを確立し、様々な製品およびサービスを、オンラインショッピングにより取得し、パーソナルな資産を、オンラインバンキングにより管理することに関連させられ、写真またはビデオをどこかで任意の時間に、パーソナル移動電話端末を使用することにより撮影して、生活の起伏を記録および共有し、人々は、パーソナルな兆候データを、ウェアラブル端末を使用することにより検知して、健康を監視する。ネットワーク上でのエンドユーザのこれらの複数のデータの背後で、生物学的個人の特質を表す、人物の関心、趣味、意見、習慣、家族、および健康などの様々な特性は、隠され、実際のユーザの特性データを形成する。この実施形態ではユーザデータは、ユーザのネットワークアプリケーションが様々なネットワークアプリケーションプラットフォームから入手されるときに生成され、サーバは、データマイニングを、ビッグデータ分析技術により、これらの複数のユーザデータを含むデータソースに関して実行することを、データソースから、各々の実際のユーザに対応し、実際のユーザの複数のユーザ特性情報を含む、デジタルヒューマンを抽出し、ローカルデータベースに、抽出により取得されるデジタルヒューマンを記憶するために行う。具体的には、同じ実際のユーザに属する複数のユーザデータは、認識により決定され得る。同じ実際のユーザに対して、データマイニングが、対応するデジタルヒューマン情報、すなわち、対応するデジタルヒューマンに含まれるユーザ特性情報の様々なカテゴリを取得するために、同じ実際のユーザの複数のユーザデータに関して実行される。したがってストレージ対応関係が、ローカルデータベースで、および、実際のユーザの識別子と、対応するデジタルヒューマンとの間で確立され、対応するデジタルヒューマンの複数のユーザ特性情報は、実際のユーザに対応するユーザ識別子に対応するストレージ空間に記憶される。
【００３６】
デジタルヒューマンにおけるマイニングされたこれらの複数のユーザ特性情報は、本質的には実際のユーザの個人プライバシーに属し、個人ユーザは、ユーザのユーザ特性情報を借用する、その情報を使用する、その情報から利益を得る、および、その情報を処分するための許可を有することが留意されるべきである。
【００３７】
しかしながら、インターネットビッグデータを適用するための技術の分野では、これらの複数のマイニングされたユーザ特性情報は、正確なサービス位置付け、広告販売促進、情報取引、および同様のもののために、様々なビジネスプラットフォームにより直接的に使用され、所有者のユーザ特性情報を、ユーザ特性情報の所有者からの同意なしに使用または取引することなどの行動は、所有者のプライバシーを直接的に侵害するものであり、したがって、ユーザのプライバシーでの低いセキュリティの問題が存する。
【００３８】
従来技術でのユーザのプライバシーでの低いセキュリティの上述の問題を解決するために、この実施形態では、サーバが、デジタルヒューマンをデータソースに従って抽出し、デジタルヒューマンをローカルに保存した後、サーバは、デジタルヒューマンにそれぞれ対応する実際のユーザのユーザ識別子に従って、メッセージを、各々のユーザ識別子に対応するユーザの端末にさらにプッシュすることを、エンドユーザに、エンドユーザのユーザ特性情報に関する許可管理パラメータの設定を実行するように指示するために行い得る。その具体的な実現は、以下のことを含む。
【００３９】
２０２．サーバは、データ提供者の端末により送信される許可管理要求を受信することであって、許可管理要求は、データ提供者の識別子と、アクセス許可設定パラメータとを含む、その受信することを行う。
【００４０】
２０３．サーバは、データ提供者に関する識別認証を、データ提供者の識別子に従って実行することと、認証が成功した後、アクセス許可設定パラメータに従って、アクセス許可を、データ提供者の識別子に対応するデジタルヒューマンに含まれるユーザ特性情報に対して設定することとを行う。
【００４１】
この実施形態では、上述のデータ提供者は、サーバに記憶されるデジタルヒューマンに対応する実際のユーザであり、データ提供者により、アクセス許可管理を、データ提供者に対応するデジタルヒューマンにおける複数のユーザ特性情報に関して実現するために、データ提供者は、データ提供者の識別子と、アクセス許可設定パラメータとを搬送する、許可管理要求を、サーバに、データ提供者の端末を使用することにより送信する。第１にサーバは、データ提供者に関する識別認証を、データ提供者の識別子に従って実行することを、データ提供者が正当なユーザであるかどうか、ならびに、データ提供者が、対応するデジタルヒューマンにおける複数のユーザ特性情報に関して、修正および編集などの、許可設定および管理を実行するための許可を有するかどうかを決定するために行う。認証が失敗した場合、サーバは、エラープロンプトをフィードバックし、認証が成功した場合、サーバは、対応するユーザ特性情報のアクセス許可を、許可管理要求で搬送されるアクセス許可設定パラメータに従ってさらに設定し、その場合アクセス許可は、購入されることをアクセスが可能とされるかどうか、アクセスまたは購入することを可能とされるユーザ、購入することに対する容認可能な支払額、正当なユーザにより正当なユーザに対応するユーザ特性情報を編集および修正することが可能とされるかどうか、ならびに同様のものを含む。
【００４２】
この実施形態では、デジタルヒューマンに含まれる複数のユーザ特性情報に対して、および、プライバシーを保護することの目的のために、デジタルヒューマンに対応する実際のユーザにより編集、追加、および削除することが可能とされ得るということが留意されるべきである。デジタルヒューマンに対応する実際のユーザは、サーバにより、データソースをマイニングすることにより取得されるユーザ特性情報を、修正、追加、および削除し得るものであり、プラットフォームは、手動で修正されるすべての情報を、機械によりマイニングされ、システムにより自動的に取得されるデータから区別されるようにマーキングし得るものであり、すなわち、データのこれらの２つのカテゴリの信用性および価値レベルは異なる。異なるアクセス許可が、異なる信用性、または異なる価値レベルのユーザ特性情報に対して設定され得るものであり、そのことは、クエリアが、より有効な情報を、実際のエンドユーザのプライバシーセキュリティが確実にされる事例で取得することを可能にする。
【００４３】
この時点で、実際のユーザに対応するデジタルヒューマンに関する複数の情報は、サーバに記憶されており、アクセス許可設定は、デジタルヒューマンにそれぞれ対応する実際のユーザにより、デジタルヒューマンに含まれるユーザ特性識別子に対応する複数のユーザ特性情報に関して実行されており、したがって、デジタルヒューマンに含まれる複数のユーザ特性情報は、後続の取引処理に対して使用され得るものであり、それによって別のユーザは、支払価格で、所望される、および価値の高いユーザ特性情報を取得することができる。
【００４４】
２０４．サーバは、データ要求者の端末により送信されるクエリ要求を受信し、ここで、クエリ要求は、クエリ条件と、クエリ条件を満たすことを必要とするデジタルヒューマンのユーザ特性識別子とを含み、クエリ条件は、検索キーワードと、データ要求者に対応するデジタルヒューマンに含まれる少なくとも１つのユーザ特性情報とを含む。
【００４５】
図１で示される実施形態に基づいて、この実施形態ではクエリ条件は、データ要求者により入力される検索キーワードを含み得るものであり、検索キーワードと、データ要求者の端末のコンテキスト環境情報とを含み得るものであり、または、検索キーワードと、データ要求者に対応するデジタルヒューマンに含まれる少なくとも１つのユーザ特性情報とを含み得る。実際のアプリケーションでは、クエリ条件およびユーザ特性識別子に従って決定されるユーザ特性情報は、おそらくは、複数の異なるデジタルヒューマンに対応し得るものであり、したがって任意選択で、この実施形態では、複数のデジタルヒューマンに属するユーザ特性情報が取得され得るとき、以下の処理がさらに実行され得る。以下では、クエリ条件は、検索キーワードと、データ要求者に対応するデジタルヒューマンに含まれる少なくとも１つのユーザ特性情報であるということのみが、説明のための例として使用され、同じ処理プロセスが、クエリ条件が別のものである事例に適用可能であるということが理解され得る。
【００４６】
この実施形態ではサーバは、クエリ要求を送信するデータ要求者の端末に対応するデータ要求者に対応するデジタルヒューマンをさらに入手することを、検索により、データ要求者に対応するデジタルヒューマンに含まれる、および、クエリすることをデータ要求者が求める、少なくとも１つのユーザ特性情報に従って、デジタルヒューマンとマッチングされる対応する特性を有するデジタルヒューマンのカテゴリを取得するために行い、２次的なマイニングを、検索により取得される複数のデジタルヒューマンに関して実行することを、人々の特定のグループのものであり、クエリ要求に含まれるユーザ特性識別子に対応する、共通特性情報を取得するために行い得るものであり、例えば、どの料理店を、データ要求者と同様の味を有するユーザグループが最も好むかが検索されるということが求められる。その具体的な実現は、以下のことを含む。
【００４７】
２０５．サーバは、検索キーワードと、データ要求者に対応するデジタルヒューマンに含まれる少なくとも１つのユーザ特性情報とに対応する少なくとも２つのデジタルヒューマンを決定する。
【００４８】
２０６．サーバは、データマイニング分析を、少なくとも２つのデジタルヒューマンにおける、ユーザ特性識別子に対応するユーザ特性情報に関して実行して、共通ユーザ特性情報を取得する。
【００４９】
クエリ結果は例えば、クエリにより決定される共通ユーザ特性情報の量、または、クエリにより決定される共通ユーザ特性情報内のユーザ特性情報の部分である。
【００５０】
２０７．サーバは、共通ユーザ特性情報に含まれる複数のユーザ特性情報のアクセス許可設定パラメータに従って、データ要求者の端末は共通ユーザ特性情報にアクセスすることができるかどうかを決定する。
【００５１】
２０８．サーバは、クエリ結果を、データ要求者の端末によりアクセスされることができる共通ユーザ特性情報に従って決定し、クエリ結果をデータ要求者の端末に送信する。
【００５２】
２０９．サーバは、クエリ結果に従って、データ要求者の端末により送信される購入要求を受信することと、取引を購入要求に従って完了することとを行い、ここで、購入要求は、クエリ結果に対応するデジタルヒューマンのユーザ特性情報を購入することを指示するために使用される。
【００５３】
さらに、サーバが、クエリ条件およびユーザ特性識別子に収束する共通ユーザ特性情報を取得した後、共通ユーザ特性情報に含まれるユーザ特性情報は、おそらくは、複数の異なるデジタルヒューマンに対応し得るので、サーバは、異なるデジタルヒューマンにおける共通ユーザ特性情報のアクセス許可設定パラメータに従って、データ要求者は共通ユーザ特性情報内の各ユーザ特性情報にアクセスすることができるかどうかをさらに決定することを必要とし、アクセスされることができるユーザ特性情報に従って、クエリ結果、例えば、アクセスされることができるある個数のユーザ特性情報、または、アクセスされることができるユーザ特性情報の部分を決定し、クエリ結果をデータ要求者の端末にさらに送信し、取引プロセスを、データ要求者の端末により送信される購入要求を受信するときに完了する。
【００５４】
この実施形態では、複数の異なるクエリ条件が提供され、それによってデータ要求者は、データ要求者の要件を満たす、パーソナライズされたクエリ結果を取得することができるものであり、さらに、データ要求者のデジタルヒューマンのコンテキスト環境情報および特性情報は、クエリアにより、より正確なユーザ特性情報を取得することに対して有益であり、データマイニングが、共通ユーザ特性情報を取得するために、複数のデジタルヒューマンに属する、見つかったユーザ特性情報に関してさらに実行され、それによってデータ要求者は、要件とよりマッチングするユーザ特性情報を取得することができるものであり、データ提供者の役割を果たす実際のユーザは、アクセス許可設定を、実際のユーザに対応するデジタルヒューマンに含まれる複数ユーザ特性情報に関して実行することができるものであり、そのことは、実際のエンドユーザのプライバシーセキュリティを確実にすることに対して有益である。
【００５５】
図３は、本発明の実施形態３による、データ情報取引システムの概略構造図である。図３で示されるように、システムはプロセッサ１を含み、プロセッサ１は、図１または図２で示される実施形態でのサーバに対応し、プロセッサ１は、
データソースを入手することと、デジタルヒューマンをデータソースに従って抽出するように構成されるデータ処理プラットフォーム１１であって、データソースは、実際のユーザのユーザデータであり、デジタルヒューマンは、デジタル世界環境で、物理世界での実際のユーザの特性を説明するように構成される、データ処理プラットフォーム１１と、
許可管理プラットフォーム１２であって、許可管理プラットフォーム１２と、データ提供者の端末との間に第１のＡＰＩ２が存し、許可管理プラットフォーム１２は、第１のＡＰＩ２を使用することにより、データ提供者の端末により送信され、データ提供者の識別子と、アクセス許可設定パラメータとを搬送する、許可管理要求を受信することと、アクセス許可設定パラメータに従って、アクセス許可を、データ提供者の識別子に対応するデジタルヒューマンに含まれるユーザ特性情報に対して設定することとを行う、許可管理プラットフォーム１２と、
クエリ管理プラットフォーム１３であって、クエリ管理プラットフォーム１３と、データ要求者の端末との間に第２のＡＰＩ３が存し、クエリ管理プラットフォーム１３は、第２のＡＰＩ３を使用することにより、データ要求者の端末により送信され、クエリ条件と、クエリ条件を満たすことを必要とするデジタルヒューマンのユーザ特性識別子とを搬送する、クエリ要求を受信することと、デジタルヒューマンのものであり、クエリ条件およびユーザ特性識別子に対応する、ユーザ特性情報を決定することと、クエリ結果を、デジタルヒューマンのユーザ特性情報のアクセス許可設定パラメータに従って取得することと、クエリ結果をデータ要求者の端末に送信することとを行い、ここで、ユーザ特性識別子は、デジタルヒューマンに含まれるユーザ特性情報を分類することにより取得される特性カテゴリ識別子である、クエリ管理プラットフォーム１３と、
取引支払プラットフォーム１４であって、取引支払プラットフォーム１４と、データ要求者の端末との間に第２のＡＰＩ３が存し、取引支払プラットフォーム１４は、第２のＡＰＩ３を使用することにより、クエリ結果に従って、データ要求者の端末により送信される購入要求を受信することと、取引を購入要求に従って完了することとを行い、ここで、購入要求は、クエリ結果に対応するデジタルヒューマンのユーザ特性情報を購入することを指示するために使用される、取引支払プラットフォーム１４と
を含む。
【００５６】
この実施形態での取引システムは、図１で示される方法実施形態での技術的解決策を実現するように構成され得るものであり、取引システムの実現原理および技術的効果は、同様であり、本明細書では再び説明されない。
【００５７】
図４は、本発明の実施形態４による、データ情報取引システムの概略構造図である。図４で示されるように、この実施形態でのシステムは、図３で示される実施形態に基づくものであり、クエリ管理プラットフォーム１３は、
デジタルヒューマンのユーザ特性情報のアクセス許可設定パラメータに従って、データ要求者の端末はデジタルヒューマンのユーザ特性情報にアクセスすることができるかどうかを決定することと、
データ要求者の端末はデジタルヒューマンのユーザ特性情報にアクセスすることができるならば、クエリ結果をデータ要求者の端末に送信することと
を行うようにさらに構成され、
クエリ結果は、以下の結果：
デジタルヒューマンのユーザ特性情報の量、および、デジタルヒューマンのユーザ特性情報内のデジタルヒューマンのユーザ特性情報の部分
の少なくとも１つを含む。
【００５８】
さらに、クエリ管理プラットフォーム１３は、
クエリ条件に対応する少なくとも２つのデジタルヒューマンを決定することと、
データマイニング分析を、少なくとも２つのデジタルヒューマンにおける、ユーザ特性識別子に対応するユーザ特性情報に関して実行して、共通ユーザ特性情報を取得することと、
クエリ結果を、共通ユーザ特性情報に含まれる複数のユーザ特性情報のアクセス許可設定パラメータに従って取得することと
を行うようにさらに構成される。
【００５９】
さらに、クエリ管理プラットフォーム１３は、
クエリ条件に対応する少なくとも２つのデジタルヒューマンを決定することであって、クエリ条件は、データ要求者により入力される検索キーワードを含み、クエリ条件は、検索キーワードと、データ要求者の端末のコンテキスト環境情報とを含み、または、クエリ条件は、検索キーワードと、データ要求者に対応するデジタルヒューマンに含まれる少なくとも１つのユーザ特性情報とを含む、その決定することと、
データマイニング分析を、少なくとも２つのデジタルヒューマンにおける、ユーザ特性識別子に対応するユーザ特性情報に関して実行して、共通ユーザ特性情報を取得することと、
クエリ結果を、共通ユーザ特性情報に含まれる複数のユーザ特性情報のアクセス許可設定パラメータに従って取得することと
を行うようにさらに構成される。
【００６０】
さらに、許可管理プラットフォーム１２は、
データ提供者に関する識別認証を、データ提供者の識別子に従って実行することと、認証が成功した後、アクセス許可設定パラメータに従って、アクセス許可を、データ提供者の識別子に対応するデジタルヒューマンに含まれるユーザ特性情報に対して設定するステップを実行することと
を行うようにさらに構成される。
【００６１】
さらに、取引システムはメモリ４をさらに含み、メモリ４はプロセッサ１に、バスを使用することにより接続され、
メモリ４は、データ処理プラットフォーム１１により取得されるデータソース、および、データ処理プラットフォーム１１によりデータソースに従って抽出されるデジタルヒューマンを記憶する。
【００６２】
この実施形態での取引システムは、図２で示される方法実施形態での技術的解決策を実現するように構成され得るものであり、取引システムの実現原理および技術的効果は、同様であり、本明細書では再び説明されない。
【００６３】
最後に、上述の実施形態は単に、本発明の技術的解決策を説明することを意図されるものであるが、本発明を制限することは意図されないということが留意されるべきである。本発明は詳細に、上述の実施形態への参照によって説明されているが、当業者は、自分たちがさらに、上述の実施形態で説明された技術的解決策に対する修正をすること、または、それらの一部の技術的特徴に対する等価な置換をなすことを、本発明の実施形態の技術的解決策の範囲から逸脱することなく行い得るということを理解するはずである。
【図１】
0006526172.tif 000002
【図２】
0006526172.tif 000003
【図３】
0006526172.tif 000004
【図４】
0006526172.tif 000005